(57)【特許請求の範囲】
【請求項１】
シリアル番号とこのシリアル番号に対応しこの鍵（キー）コード番号がわかれば合鍵が作製できる当該鍵（キー）コード番号をサーバーに登録する手段と、ユーザーからインターネットを通じて送信されたシリアル番号とユーザーが自由に設定した電子認証のための事項をサーバーに登録する手段と、ユーザーからインターネットを通じてシリアル番号と電子認証のための事項のデータが入力されると、登録された上記シリアル番号と電子認証のための事項を照合して個人確認のための電子認証を行なう電子認証手段と、電子認証を行った後、サーバーからシリアル番号に対応する鍵（キー）コード番号を選択してユーザーへ送信する手段とを備え、よって、鍵紛失時にユーザー自身がインターネットを通じてシリアル番号と個人情報データを送信し、個人確認のための電子認証を行った後、サーバーからシリアル番号に対応する鍵（キー）コード番号を取り出しできるようにしたことを特徴とするインターネットを利用した鍵（キー）データ登録・コード番号照会システム。
【発明の詳細な説明】
【０００１】
【発明の属する技術分野】
本発明は、鍵（キー）を紛失した場合などに、鍵（キー）を製作するための、キーコード番号に関する情報をパソコン、ＰＤＡ等の携帯端末、公衆電話や携帯電話回線、携帯電話用ウェブサイトなどから入手することができるインターネットを利用した鍵（キー）データ登録・コード番号照会システムに関するものである。
【０００２】
【従来の技術】
一般に、防犯性の高い錠前（シリンダー）は、ピッキング等の方法により不正解錠を行えない構造になっているため、万一、使用者が鍵（キー）を紛失した場合には、最寄りの鍵屋を呼んでドリルなどの工具を用いて破壊して入室する方法がとられていた。しかしながら、通常は最寄りの鍵屋に連絡する手段もすぐには見つからず、鍵屋が駆けつけるまでに長時間を要するケースが少なくない上に、鍵（キー）の破壊には、電動工具による大きな音が伴うとともに、長時間の作業を必要とし、さらには、高額な工事費用の支出を余儀なくされた。また、使用者が鍵（キー）を複製する場合や紛失した場合に備えて、あらかじめキーコード番号（その鍵の情報を示し、このキーコード番号がわかれば合鍵が作製できる）、製品のシリアル番号、そしてユーザーの個人情報（住所、電話番号、暗証番号など）を販売店および管理センター（主にメーカー）に登録し、鍵（キー）を複製する場合や紛失した場合に販売店あるいは管理センターからキーコード番号を入手し、それを鍵屋に示して合鍵を作製するようにした鍵管理の方法も行なわれている。
しかし、上記した鍵管理の方法によると、販売店および管理センターにキーコード番号そしてユーザーの個人情報が一緒に残るため、データが流出し、犯罪に利用されるという危険があったものである。一方、複雑な鍵（キー）コード番号と合鍵複製を管理する目的で、錠前（シリンダー）と一緒に鍵（キー）コード番号が記された登録カードなどが添付されたものもある。しかしながら、この場合、登録カードさえあれば、鍵（キー）コード番号がわかるため、合鍵複製が容易にできてしまい、セキュリティー管理に問題があった。また、特開2002-60015号に記載されるように、配送商品を錠付きケースに収容して配送し、商品が届くと受取人はインターネットのホームページにアクセスして個人確認の電子認証をしてから配送ケースの鍵番号を取得する物品配送システムが存在している。しかしながら、個人確認の電子認証手段が、具体的には、まず受取人は送付側事務所や代理店に出向いて契約を交わし、その際に、本人認証用のパスワードや電子メールなどの個人情報（氏名、住所、電話番号、電子メールアドレス、認証用パスワード）を提示している上に、発送される物品を収容した配送ケースの鍵番号を格納するのは発送側である。つまり発送側には受取人の個人情報がすべて筒抜けになっているというものであり、前記した鍵管理方法と同様に、キーコード番号そしてユーザーの個人情報が一緒に残るため、データが流出し、犯罪に利用されるという危険があったものである。
【０００３】
【発明が解決しようとする課題】
本発明は、上記した実状に鑑みてなされたもので、セキュリティー面、プライバシー面において、個人情報と鍵コード番号が一致しない安全な方法で管理できるインターネットを利用した鍵（キー）データ登録・コード番号照会システムを提供することをその目的とするものである。
また、本発明は事前に管理センターや代理店に出向いて契約を交わすこともないため個人情報を知られることもなく、単にシリアル番号と、ユーザー自身が決めそのためユーザー以外には知られない電子認証のための事項をサーバーにユーザー自身が登録するだけで、鍵を紛失した場合などに、インターネットでサーバーにアクセスし、上記のユーザー以外には知られない事項の入力により電子認証してサーバーから、第三者に知られることなくシリアル番号に対応する鍵（キー）コード番号を取り出しできるものである。
さらにまた、本発明は、従前、不注意により、あるいは引ったくりなどにあって、鍵（キー）を紛失した場合には、シリンダーを破壊しなくてはならず、そのため、新品のシリンダーに交換する費用も含めると高額な工事費用がかかった上に、深夜などは、破壊作業に伴う騒音が近所迷惑になる場合もあることを考慮し、万一、鍵（キー）を紛失した際においても、他人に個人情報や鍵コード番号を一切知られることなしにセキュリティーを維持したままで、自らインターネットを通じて自己のキーコード番号を入手可能とすることにより、この入手したキーコード番号を手がかりに鍵屋が鍵を作製でき、したがって、錠前（シリンダー）を破壊することなしに入室することができるインターネットを利用した鍵（キー）データ登録・コード番号照会システムを提供することをその目的とするものである。
【０００４】
【問題を解決するための手段】
本発明に係るインターネットを利用した鍵（キー）データ登録・コード番号照会システムは、シリンダーにシリアル番号だけが記された登録カードを添付し、これによりセキュリティーを高めた登録・コード番号照会システムを構築したものである。すなわち、シリアル番号とこのシリアル番号に対応する鍵（キー）コード番号をサーバーに登録する手段と、ユーザーからインターネットを通じて送信されたシリアル番号と個人情報データをサーバーに登録する手段と、ユーザーからインターネットを通じてシリアル番号と個人情報データが入力されると、登録された上記シリアル番号と個人情報データを照合して個人確認のための電子認証を行なう電子認証手段と、電子認証を行った後、サーバーからシリアル番号に対応する鍵（キー）コード番号を選択してユーザーへ送信する手段とを備え、よって、鍵紛失時にユーザー自身がインターネットを通じてシリアル番号と個人情報データを送信し、個人確認のための電子認証を行った後、サーバーからシリアル番号に対応する鍵（キー）コード番号を取り出しできるようにしたものである。従って、鍵屋といえども、登録カードのシリアル番号だけでは合鍵複製ができず、合鍵複製の場面においてもセキュリティーの維持が実現できる。また、上記インターネットを利用した鍵（キー）データ登録システムにおいて、インターネットに接続する方法が、一般のパソコン、ＰＤＡ等の携帯端末、公衆電話や携帯電話回線、携帯用ウェブサイトを通じて行なえるようにしたものである。さらに、本発明に係る錠前（シリンダー）・鍵（キー）は、インターネットを利用した鍵（キー）データ登録システムを提供するＵＲＬを、錠前（シリンダー）あるいは鍵（キー）の少なくとも一方に表示してなるものである。これにより、緊急を要するトラブルの際に、直に特約代理店（鍵屋）を呼ぶことができる。
【０００５】
【作用】
以下、本発明のインターネットを利用した鍵（キー）データ登録・コード番号照会システムの作用について説明する。本発明に係るインターネットを利用した鍵（キー）データ登録システムによれば、ユーザーは、使用する鍵（キー）のシリアル番号と個人情報データ（例えば、暗証番号や電話番号など）をインターネットを通じて鍵（キー）データを管理するサーバーに送信し、サーバー登録する。また、シリアル番号から対応する鍵（キー）コード番号を選択するプログラムがサーバーに登録されている。そして鍵紛失時に、ユーザーからインターネットを通じてシリアル番号と個人情報データが入力されると、サーバーは、この入力されたシリアル番号と個人情報データと、登録された上記シリアル番号と個人情報データとを照合して個人確認のための電子認証を行ない、電子認証後、シリアル番号に対応する鍵（キー）コード番号が選択されてユーザーへ送信されるから、これにより、ユーザーは入手した鍵（キー）コード番号を鍵屋に示して鍵を作製してもらうことができ、したがって、錠前（シリンダー）を破壊することなしに入室することができることとなる。また、上記インターネットを利用した鍵（キー）データ登録システムにおいて、インターネットに接続する方法が、一般のパソコン、ＰＤＡ等の携帯端末、公衆電話や携帯電話回線、携帯電話用ウェブサイトを通じて行えるようにすると、鍵紛失時に携帯電話からインターネットに接続して鍵（キー）コード番号を入手することができるし、近所の家からパソコンを通じてアクセスしたり、携帯端末を利用して接続することも可能である。また、インターネットに直接接続する手段が無い場合には、データ管理者へ電話回線を通じてアクセスし、データ管理者がインターネット接続を代行することも可能であるため、公衆電話や携帯電話から鍵（キー）コード番号を入手することも可能となる。ここで特筆すべきは、ユーザー側のデータは、データを管理する側、さらに鍵屋には、一切、個人情報が漏れることの無いシステムが成立しており、従ってデータ管理者や鍵屋からユーザーの個人情報が漏れる心配が全く無いことが特徴である。さらに、本発明に係る錠前（シリンダー）・鍵（キー）は、インターネットを利用した鍵（キー）データ登録システムを提供するＵＲＬを、錠前（シリンダー）あるいは鍵（キー）の少なくとも一方に表示すると、ユーザーがＵＲＬを記録あるいは記憶する必要がなく便利である。また、沢山の鍵（キー）を管理するような物件の所有者（大家）においても、登録カードを管理さえすれば、賃貸人が勝手に合鍵を複製することができなくなるため、日常管理において非常に便利になる。
【０００６】
【実施例】
以下、本発明のインターネットを利用した鍵（キー）データ登録・コード番号照会システムついて、実施例に基づき説明する。図１は本発明に係るインターネットを利用した鍵（キー）データ登録・コード番号照会システム１の概略構成を示すブロック図、図２は管理者およびユーザーのデータ登録を示す模式図、そして図３は鍵紛失時の模式図である。図において、鍵（キー）データの管理者により入力部２からシリアル番号と鍵（キー）コード番号が入力されると、サーバーのデータ登録部３はこれらのシリアル番号と鍵（キー）コード番号をデータベース４に登録する。また、ユーザーの携帯電話やパソコン、携帯端末などによりインターネットを通じてウェブサイトを表示させ、入力部５からシリアル番号と個人情報データを入力すると、サーバーのデータ登録部６はこれらのシリアル番号と個人情報データをデータベース４に登録する。制御部７には、データベース４にアクセスし、シリアル番号から対応する鍵（キー）コード番号を選択して通信部８からユーザーに送信するなど、システム１を構成ずる各部を動作させるアプリケーションプログラムが内蔵されている。そして、鍵紛失時などに、ユーザーの携帯電話などの入力部５からからインターネットを通じてシリアル番号と個人情報データが入力されると、電子認証部９は入力されたシリアル番号と個人情報データと、登録された上記シリアル番号と個人情報データとを照合して個人確認のための電子認証を行ない、電子認証部９で個人確認されると、データベース４に登録されたシリアル番号と鍵（キー）コード番号から、入力されたシリアル番号に対応する鍵（キー）コード番号が選択されて通信部８からユーザーへ送信され、これにより、ユーザーは使用した端末（携帯電話など）の受信表示部10で鍵（キー）コード番号を知ることができる。
【０００７】
尚、上記インターネットを利用した鍵（キー）データ登録・コード番号照会システムにおいては、インターネットに接続する方法が、携帯用ウェブサイトを通じて行なえるようにしたが、パソコンなどその他の入力手段を用いても無論よい。また、図示しないが、インターネットを利用した鍵（キー）データ登録システムを提供するＵＲＬを、錠前（シリンダー）あるいは鍵（キー）の少なくとも一方に表示すれば、ユーザーがＵＲＬを記録あるいは記憶する必要がない。さらに、上記実施例では、電子認証のために、ユーザーはシリアル番号、電話番号そして暗証番号を入力するようにしたが、これに限らずどのような事項を電子認証のための必須入力事項としてもよい。
【０００８】
【発明の効果】
以上の説明から明らかなように、本発明に係るインターネットを利用した鍵（キー）データ登録・コード番号照会システムは、ユーザーはシリアル番号と個人情報とをサーバー登録するが、鍵コード番号については直接登録せず、サーバーにシリアル番号と鍵コード番号とを一致させるプログラムをおくだけであるから、ユーザーの鍵コード番号および個人情報は管理者や代理店には漏れないため、セキュリティー面、プライバシー面において、安全な方法で管理できる顕著な効果が得られる。また、ユーザー自らインターネットを通じて自己のキーコード番号を入手可能としたから、この入手したキーコード番号を手がかりに鍵屋が鍵を作製でき、したがって、錠前（シリンダー）を破壊することなしに入室することができる効果も得られる。
【図面の簡単な説明】
【図１】本発明に係るインターネットを利用した鍵（キー）データ登録・コード番号照会システム１の概略構成を示すブロック図である。
【図２】管理者およびユーザーのデータ登録を示す模式図である。
【図３】鍵紛失時のコード番号照会を示す模式図である。特約代理店とは、一般に鍵屋を指す。
【符号の説明】
１  本発明に係るインターネットを利用した鍵（キー）データ登録・コード番号照会システム
２  入力部
３  データ登録部
４  データベース
５  携帯電話入力部
６  データ登録部
７  制御部
８  通信部
９  電子認証部
10  携帯電話の受信表示部
【図１】
0004104881.tif 000002
【図２】
0004104881.tif 000003
【図３】
0004104881.tif 000004